【手続補正書】
【提出日】平成28年8月5日(2016.8.5)
【手続補正１】
【補正対象書類名】特許請求の範囲
【補正対象項目名】全文
【補正方法】変更
【補正の内容】
【特許請求の範囲】
【請求項１】
受信装置であって、
メディアデータの異なる時間区間それぞれに対応する複数の部分データのうちの１以上の部分データを特定するプレイリストを取得する取得手段と、
前記取得手段により取得されるプレイリストから特定される１以上の部分データのうち、送信装置に要求すべき部分データを、前記送信装置と前記受信装置との間の通信の種別及び通信状況の少なくとも何れかに基づいて決定する決定手段と、
前記決定手段による決定に応じた部分データを前記送信装置に要求する要求手段とを有することを特徴とする受信装置。
【請求項２】
前記決定手段は、前記取得手段により取得されるプレイリストから特定される１以上の部分データそれぞれに対応する時間区間のうちの最も後の時間区間を含む範囲であって、前記送信装置と前記受信装置との間の通信の種別及び通信状況の少なくとも何れかに基づいて決まる前記範囲に含まれる時間区間に対応する部分データを、前記要求すべき部分データとして決定することを特徴とする請求項１に記載の受信装置。
【請求項３】
前記範囲は、前記最も後の時間区間を含む範囲であって、前記送信装置と前記受信装置との間での通信に要する時間に応じた所定の時間長以上の時間長を有する範囲であることを特徴とする請求項２に記載の受信装置。
【請求項４】
前記範囲は、前記最も後の時間区間を含み且つ前記所定の時間長以上の時間長を有する範囲のうち、部分データに対応する時間区間を最も少なく含む範囲であることを特徴とする請求項３に記載の受信装置。
【請求項５】
前記決定手段は、前記要求手段により前記送信装置に要求されていない部分データを前記送信装置に要求すべき部分データとして決定することを特徴とする請求項１乃至４の何れか１項に記載の受信装置。
【請求項６】
前記要求手段は、前記決定手段による決定に応じた複数の部分データを、より前の時間区間に対応する部分データから順に要求することを特徴とする請求項１乃至５の何れか１項に記載の受信装置。
【請求項７】
前記取得手段は、前記決定手段による決定に応じた複数の部分データのうち最も後の時間区間に対応する部分データを前記要求手段が要求した後に、前記メディアデータに関する新たなプレイリストを取得することを特徴とする請求項６に記載の受信装置。
【請求項８】
前記取得手段は、前記送信装置により前記新たなプレイリストが生成されるタイミングを前記部分データの時間長に基づいて推測した結果に応じて、前記新たなプレイリストを前記送信装置に要求して取得することを特徴とする請求項７に記載の受信装置。
【請求項９】
前記取得手段により取得されるプレイリストには、前記メディアデータの新たな時間区間に対応する部分データを特定する情報が時間の経過に伴って追加されることを特徴とする請求項１乃至８の何れか１項に記載の受信装置。
【請求項１０】
前記取得手段は、前記１以上の部分データを特定するプレイリストを前記送信装置から取得することを特徴とする請求項１乃至９の何れか１項に記載の受信装置。
【請求項１１】
前記送信装置と前記受信装置との間の通信状況は、前記送信装置と前記受信装置との間の通信における通信速度、通信に要する時間、及び当該時間に関するジッタの少なくとも何れかを含むことを特徴とする請求項１乃至１０の何れか１項に記載の受信装置。
【請求項１２】
前記要求手段による要求に応じて前記送信装置から送信される部分データを受信する受信手段と、
前記受信手段により受信された部分データに対応する時間区間の合計の時間長が、前記送信装置と前記受信装置との間での通信に要する時間に応じた所定の時間長以上である場合に、前記受信手段により受信された部分データを再生する再生手段とを有することを特徴とする請求項１乃至１１の何れか１項に記載の受信装置。
【請求項１３】
前記決定手段は、前記取得手段により取得されたプレイリストから特定される１以上の部分データに対応する時間区間の合計の時間長が前記所定の時間長未満である場合に、前記１以上の部分データを前記要求すべき部分データとして決定し、
前記取得手段は、前記合計の時間長が前記所定の時間長未満である場合に、前記再生手段による再生が行われる前に、前記メディアデータに関する新たなプレイリストを取得することを特徴とする請求項１２に記載の受信装置。
【請求項１４】
前記取得手段により取得されるプレイリストから複数の部分データが特定される場合に、前記複数の部分データは互いに等しい時間長を有する時間区間に対応することを特徴とする請求項１乃至１３の何れか１項に記載の受信装置。
【請求項１５】
前記取得手段により取得されるプレイリストは、１以上の部分データの再生順序、所在情報、及び再生時間を特定する情報を含むことを特徴とする請求項１乃至１４の何れか１項に記載の受信装置。
【請求項１６】
前記メディアデータは、映像データまたは音声データの少なくとも一方を含むことを特徴とする請求項１乃至１５の何れか１項に記載の受信装置。
【請求項１７】
受信装置の制御方法であって、
メディアデータの異なる時間区間それぞれに対応する複数の部分データのうちの１以上の部分データを特定するプレイリストを取得する取得工程と、
前記取得工程において取得されるプレイリストから特定される１以上の部分データのうち、送信装置に要求すべき部分データを、前記送信装置と前記受信装置との間の通信の種別及び通信状況の少なくとも何れかに基づいて決定する決定工程と、
前記決定工程における決定に応じた部分データを前記送信装置に要求する要求工程とを有することを特徴とする制御方法。
【請求項１８】
前記決定工程は、前記取得工程において取得されるプレイリストから特定される１以上の部分データそれぞれに対応する時間区間のうちの最も後の時間区間を含む範囲であって、前記送信装置と前記受信装置との間の通信の種別及び通信状況の少なくとも何れかに基づいて決まる前記範囲に含まれる時間区間に対応する部分データを、前記要求すべき部分データとして決定することを特徴とする請求項１７に記載の制御方法。
【請求項１９】
前記範囲は、前記最も後の時間区間を含む範囲であって、前記送信装置と前記受信装置との間での通信に要する時間に応じた所定の時間長以上の時間長を有する範囲であることを特徴とする請求項１８に記載の制御方法。
【請求項２０】
コンピュータを請求項１乃至１６の何れか１項に記載の受信装置の各手段として機能させるためのプログラム。
【手続補正２】
【補正対象書類名】明細書
【補正対象項目名】発明の名称
【補正方法】変更
【補正の内容】
【発明の名称】受信装置、制御方法及びプログラム
【手続補正３】
【補正対象書類名】明細書
【補正対象項目名】０００１
【補正方法】変更
【補正の内容】
【０００１】
本発明は受信装置、制御方法及びプログラムに関し、特に、メディアデータとメディアデータの再生区間情報を所定の時間毎にネットワークを介して連続して送受信するために用いて好適な技術に関する。
【手続補正４】
【補正対象書類名】明細書
【補正対象項目名】０００７
【補正方法】変更
【補正の内容】
【０００７】
本発明の受信装置は、メディアデータの異なる時間区間それぞれに対応する複数の部分データのうちの１以上の部分データを特定するプレイリストを取得する取得手段と、前記取得手段により取得されるプレイリストから特定される１以上の部分データのうち、送信装置に要求すべき部分データを、前記送信装置と前記受信装置との間の通信の種別及び通信状況の少なくとも何れかに基づいて決定する決定手段と、前記決定手段による決定に応じた部分データを前記送信装置に要求する要求手段とを有することを特徴とする。